(57)【要約】【課題】  互いに重ね合わせ可能に配置される２つの筐体を、連結手段により重ね合わせ方向に延びる軸線を中心に相互に回動可能に連結した携帯端末装置において、これら筐体間の信号伝達の信頼性を向上できるようにする。【解決手段】  ２つの筐体２，３の内部にそれぞれ設けられた回路基板３１，３３間の情報伝達を光により行う光通信手段７０を備え、２つの筐体２，３を相互に連結する連結手段５は、前記軸線方向に形成され、２つの筐体の内部同士を連結する貫通孔４１ａを有する略円筒状の軸４１を備え、前記光通信手段７０は、一方の筐体２内部に設けられ、前記軸４１の貫通孔４１ａに向けて光信号を発する発光部７１と、他方の筐体３内部に設けられ、前記軸４１の貫通孔４１ａを介して前記発光部７１からの光信号を受光する受光部７７とを備える携帯端末装置を提供する。【選択図】      図４
2005064843.tif 000002
【特許請求の範囲】
【請求項１】
互いに重ねあわせ可能に配置される２つの筐体と、重ね合わせ方向に延びる軸線を中心として前記２つの筐体を相互に回動可能に連結する連結手段と、各筐体の内部にそれぞれ設けられた回路基板間の情報伝達を光により行う光通信手段とを備え、
前記連結手段は、前記軸線方向に形成され、前記２つの筐体の内部同士を連結する貫通孔を有する略円筒状の軸を備え、
前記光通信手段は、一方の筐体内部に設けられ、前記軸の貫通孔に向けて光信号を発する発光部と、他方の筐体内部に設けられ、前記軸の貫通孔を介して前記発光部からの光信号を受光する受光部とを備えることを特徴とする携帯端末装置。
【請求項２】
前記光通信手段は、前記他方の筐体内部に設けられ、前記軸の貫通孔に向けて前記発光部とは異なる波長の光信号を発する他の発光部と、前記一方の筐体内部に設けられ、前記軸の貫通孔を介して前記他の発光部からの光信号を受光する他の受光部とを備え、
前記受光部が、前記発光部から発せられる波長の光信号のみを受光することを特徴とする請求項１に記載の携帯端末装置。
【請求項３】
前記軸は、導電性材料により形成され、
前記軸線方向に沿う前記軸の両端部が、各筐体内に設けられた前記回路基板にそれぞれ電気的に接続されると共に、前記軸の貫通孔を通じて各筐体内に設けられた前記回路基板同士を相互に電気的に接続する略棒状の電気接続部を備え、
該電気接続部の一端が一方の回路基板に固定されると共に、前記電気接続部の他端を他方の回路基板に当接させるようにしたことを特徴とする請求項１又は請求項２に記載の携帯端末装置。
【請求項４】
前記電気接続部が、一方の回路基板に固定された第１の接続部材と、他方の回路基板側に配され、前記第１の接続部材に対して電気的に接続された第２の接続部材と、該第２の接続部材を他方の回路基板に向けて付勢する付勢部材とを備えることを特徴とする請求項３に記載の携帯端末装置。
【発明の詳細な説明】
【技術分野】
【０００１】
この発明は、２つの筐体を相互に回動可能に連結してなる携帯電話機、ＰＤＡ（Ｐｅｒｓｏｎａｌ  Ｄｉｇｉｔａｌ  Ａｓｓｉｓｔａｎｔｓ）等の携帯端末装置に関する。
【背景技術】
【０００２】
従来、２つの筐体を備えた携帯端末装置としては、互いに重ね合わせ可能に配置された２つの筐体をこれら両筐体の重ね合わせ方向に沿う軸線を中心に２つの筐体を相互に回動可能に連結する連結部を備えたものがある（例えば、特許文献１参照。）。このような構成の携帯端末装置においては、連結部を構成する回転軸に２つの筐体の内部空間を相互に連通させる貫通孔が形成されている。この貫通孔には、２つの筐体内部に固定された回路基板を相互に電気的に接続するケーブルが配されている。
【０００３】
ケーブルは、両筐体に配された回路基板の間でやりとりされる電気信号を伝達したり、一方の筐体に設けられたバッテリーから他方の筐体に電力を供給するものである。また、このケーブルは電気信号の種類毎に別個に配されるため、携帯端末装置の機能が増加するとケーブルの本数が増えることになる。
なお、一般に携帯端末装置は、鞄や衣服のポケット等に収容して携行することを目的としているため、その小型化、薄型化が要求されており、これに伴って、前述の連結部を含む携帯端末装置の構成部品の小型化が要求されている。
【特許文献１】特開平７−２８８８６０号公報
【発明の開示】
【発明が解決しようとする課題】
【０００４】
ところが、近年、カメラ機能やゲーム機能等、様々な機能を携帯端末装置に付加する傾向にあり、回転軸の貫通孔にはケーブルを多数挿通させる必要があった。このため、連結部の小型化が困難となり、携帯端末装置の小型化に限界があるという問題があった。
また、２つの筐体を相互に回動させる際にはケーブルが回動方向に捻れるため、両筐体の相対的な回動を繰り返しても両筐体内に設けられた回路基板間の電気的信号を確実に伝達できる信頼性の高い携帯端末装置を提供することは難しいものであった。
【０００５】
そこで、本発明の目的は、上述した事情に鑑みてなされたもので、厚み方向に重ね合わせ可能に配置される２つの筐体を、これら両筐体の重ね合わせ方向に延びる軸線を中心として回動できるように連結手段を介して連結した携帯端末装置において、小型化を図ると共に、信頼性の高い携帯端末装置を提供することにある。
【課題を解決するための手段】
【０００６】
上記課題を解決するために、この発明は以下の手段を提案している。
本発明に係る携帯端末装置は、互いに重ねあわせ可能に配置される２つの筐体と、重ね合わせ方向に延びる軸線を中心として前記２つの筐体を相互に回動可能に連結する連結手段と、各筐体の内部にそれぞれ設けられた回路基板間の情報伝達を光により行う光通信手段とを備え、前記連結手段は、前記軸線方向に形成され、前記２つの筐体の内部同士を連結する貫通孔を有する略円筒状の軸を備え、前記光通信手段は、一方の筐体内部に設けられ、前記軸の貫通孔に向けて光信号を発する発光部と、他方の筐体内部に設けられ、前記軸の貫通孔を介して前記発光部からの光信号を受光する受光部とを備えることを特徴とする。
【０００７】
また、本発明に係る携帯端末装置は、前記光通信手段は、前記他方の筐体内部に設けられ、前記軸の貫通孔に向けて前記発光部とは異なる波長の光信号を発する他の発光部と、前記一方の筐体内部に設けられ、前記軸の貫通孔を介して前記他の発光部からの光信号を受光する他の受光部とを備え、前記受光部が、前記発光部から発せられる波長の光信号のみを受光することを特徴とする。
【０００８】
さらに、本発明に係る携帯端末装置は、前記軸は、導電性材料により形成され、前記軸線方向に沿う前記軸の両端部が、各筐体内に設けられた前記回路基板にそれぞれ電気的に接続されると共に、前記軸の貫通孔を通じて各筐体内に設けられた前記回路基板同士を相互に電気的に接続する略棒状の電気接続部を備え、
該電気接続部の一端が一方の回路基板に固定されると共に、前記電気接続部の他端を他方の回路基板に当接させるようにしたことを特徴とする。
【０００９】
また、本発明に係る携帯端末装置は、前記電気接続部が、一方の回路基板に固定された第１の接続部材と、他方の回路基板側に配され、前記第１の接続部材に対して電気的に接続された第２の接続部材と、該第２の接続部材を他方の回路基板に向けて付勢する付勢部材とを備えることを特徴とする。
【発明の効果】
【００１０】
本発明によれば、各筐体に設けられた回路基板間の情報伝達が光通信手段により行われるため、２つの筐体を相互に回動させても２つの回路基板間で各種制御信号の伝達を確実に行うことが可能な携帯端末装置を提供することができる。
また、従来のように、２つの回路基板間に信号を伝達する多数のケーブルが不要となるため、貫通孔を小さく形成して軸の小型化を図り、携帯端末装置の小型化を図ることができる。
【発明を実施するための最良の形態】
【００１１】
図１から図５は本発明に係る一実施形態を示しており、ここで説明する実施の形態は、この発明を携帯電話機に適用した場合のものである。
この実施の形態に係る携帯電話機（携帯端末装置）１は、図１に示すように、第１の筐体２と、この第１の筐体２の厚さ方向に重ね合わせ可能な第２の筐体３と、これら２つの筐体２，３を、その重ね合わせ方向に延びる基準軸線Ｌ１を中心として回動可能に連結する連結手段５とを備えている。なお、連結手段５は、２つの筐体２，３の各端部２ｂ，３ｂ（以下、基端部２ｂ，３ｂと呼ぶ。）同士を連結するようになっている。
【００１２】
重ね合わせ持に第２の筐体３と対向する第１の筐体２の内面２ａには、通話キー、終話キーテンキー等の各種押圧可能な操作キーからなる第１の操作部７が設けられている。また、内面２ａのうち、基端部２ｂの反対側に位置する第１の筐体２の先端部２ｃには、マイクロフォン部９が設けられている。これら操作部７及びマイクロフォン部９は、第１、第２の筐体２，３を互いに重ね合わせて閉じた状態において、第２の筐体３により覆い隠されるようになっている。
また、第１の筐体２の先端部２ｃには、内面２ａから突出する突起部１１が設けられている。この突起部１１は、ゴム等の弾性部材から形成されている。
さらに、この内面２ａに隣接する第１の筐体２の側面２ｄには、２つの押圧可能な操作キー１３，１５からなる第２の操作部１７が設けられており、２つの筐体２，３の開閉状態に関わらず、外方に露出している。なお、一方の操作キー１５は、図２に示すように、側面２ｄに垂直な方向（Ｃ方向）に押圧可能となっていることに加え、側面２ｄに沿う２方向（ＤＥ方向）に移動可能となっている。すなわち、この操作キー１５は、複数の入力操作を行うことができるように構成されている。
【００１３】
図１に示すように、第１の筐体２の内面２ａと略同方向に向く第２の筐体３の外面３ａには、各種の情報を表示する表示部２１が設けられている。また、この外面３ａのうち、第２の筐体３の基端部３ｂには、スピーカー部２３が設けられており、基端部３ｂの反対側に位置する第２の筐体３の先端部３ｃには、電気音響変換部２５が設けられている。
電気音響変換部２５は、２つの筐体２，３を相互に開いた状態において第１の筐体２のマイクロフォン部９と共に通話に使用するスピーカーとして機能する。また、この電気音響変換部２５は、２つの筐体２，３を開いた状態から基準軸線Ｌ１を中心に相互に１８０°回動して、図３に示すように、重ね合わせて閉じた状態おいて、スピーカー部２３と共に通話に使用するマイクロフォンとして機能する。
これら表示部２１、スピーカー部２３及び電気音響変換部２５は、２つの筐体２，３の開閉状態にかかわらず、外方に露出している。
【００１４】
なお、２つの筐体２，３を互いに閉じた状態においては、第２の筐体３の先端部３ｃが、第１の筐体２の先端部２ｃに設けられた突起部１１に当接するため、第１の筐体２と第２の筐体３との間に隙間が形成されることになる。したがって、基準軸線Ｌ１を中心に２つの筐体２，３を相互に開閉する際に、第２の筐体３が第１の筐体２の内面２ａを擦って第１の操作部７が傷つくことを防止できる。
【００１５】
図４に示すように、第１の筐体２の内部には、バッテリー（不図示）や第１の回路基板３１が固定されており、前述した第１、第２の操作部７，１７及びマイクロフォン部９は、この第１の回路基板３１に電気的に接続されている。また、この第１の回路基板３１には、通話機能やメール機能等の各種機能を制御する各種電子部品（不図示）も搭載されている。
また、第２の筐体３の内部には第２の回路基板３３が固定されており、前述した表示部２１、スピーカー部２３及び電気音響変換部２５は、この第２の回路基板３３に電気的に接続されている。
【００１６】
連結手段５は、基準軸線Ｌ１方向に形成された貫通孔４１ａを有する略円筒状の軸４１を備えており、軸４１の一端部４１ｂは、第１の筐体２の内面２ａから内部に貫通する貫通孔２ｅに挿入されている。また、軸４１の他端部４１ｃは、第１の筐体２の内面２ａに対向する第２の筐体３の内面３ｄから内部に貫通する貫通孔３ｅに挿入されている。
この軸４１は、貫通孔４１ａを介して２つの筐体２，３の内部空間を相互に連結しており、第１の筐体２に固定されている。すなわち、第１の筐体２の内部に位置する軸４１の一端部４１ｂには、周方向にわたって半径方向外方に突出する平面視略円形のフランジ部４３が一体的に形成されており、このフランジ部４３は第１の筐体２内部にネジ等により固定されている。この軸４１は、導電性材料から形成されており、導体４５を介して第１の回路基板３１に電気的に接続されている。
【００１７】
第２の筐体３の内部に位置する軸４１の他端部４１ｃには、基準軸線Ｌ１方向に貫通する孔４７ａを備えた平面視略円形のフランジ部材４７が設けられており、軸４１の外周面側にカシメ状態で固定されている。このフランジ部材４７は、導電性材料から形成されており、貫通孔３ｅの周縁に位置する第２の筐体３の内壁面３ｆに対向して配されている。
この第２の筐体３の内壁面３ｆには、中央に貫通孔４９ａを有する平面視略円形の円形プレート４９が固定され、この貫通孔４９ａに軸４１の他端部４１ｃを挿入させるように配されている。この円形プレート４９は、導電性材料から形成されており、導体５１を介して第２の回路基板３３に電気的に接続されている。
【００１８】
前述のフランジ部材４７は、この円形プレート４９に対向して配されており、フランジ部材４７と円形プレート４９との間には、皿ばね５３が設けられている。皿ばね５３は、導電性材料から形成されており、フランジ部材４７に固定されている。また、この皿ばね５３は、基準軸線Ｌ１方向にフランジ部材４７及び円形プレート４９を相互に引き離すように付勢している。すなわち、２つの筐体２，３は、皿ばね５３によって基準軸線Ｌ１方向に相互に近づくように付勢されており、２つの筐体２，３が分離しないようになっている。
また、軸４１は、これら導体４５，５１、円形プレート４９及び皿ばね５３と共に、２つの回路基板３１，３３を相互に電気的に接続するように構成されている。
【００１９】
軸４１の貫通孔４１ａには、長手方向の軸線が基準軸線Ｌ１に一致するように配された略棒状の電気接続部６０が挿入されている。この電気接続部６０の長手方向の一端は、第１の回路基板３１の表面３１ａに固定されている。また、電気接続部６０の長手方向の他端は、第１の回路基板３１の表面３１ａに対向する第２の回路基板３３の表面３３ａに当接している。
【００２０】
すなわち、電気接続部６０は、図４，５に示すように、その一端側を構成する第１の接続部材６１と、その他端側を構成する第２の接続部材６３と、第１の接続部材６１に対して第２の接続部材６３を基準軸線Ｌ１方向に沿って第２の回路基板３３側に付勢するコイルばね（付勢部材）６５とを備えている。
第１の接続部材６１は、基準軸線Ｌ１方向の他端側に開口する孔６１ａを備えている。第２の接続部材６３は、第１の接続部材６１の孔６１ａに挿入されており、この孔６１ａに対して基準軸線Ｌ１方向に移動可能となっている。また、第２の接続部材６３は、孔６１ａから抜け出ないように、孔６１ａの開口部に係合するように構成されている。
【００２１】
コイルばね６５は、第１の接続部材６１の孔６１ａに挿入されており、その一端が第２の接続部材６３に当接している。また、コイルばね６５の他端は、第１の接続部材６１や第１の回路基板３１の表面３１ａに当接しており、第２の接続部材６３を第１の接続部材６１の孔６１ａの開口部から突出させる方向に付勢している。
以上のように構成された電気接続部６０は、２つの筐体２，３を基準軸線Ｌ１方向に相互に引き離す方向に付勢している。このため、基準軸線Ｌ１方向に関する２つの筐体の相対的な位置関係を安定させることができる。
【００２２】
また、この電気接続部６０は軸４１と共に、第１の筐体２に設けられたバッテリーの電力を第１の回路基板３１から第２の回路基板３３に供給可能とするものであり、この電力により表示部２１、スピーカー部２３及び電気音響変換部２５が駆動されることになる。すなわち、軸４１は導体４５，５１、円形プレート４９及び皿ばね５３と共に、バッテリーの−極の役割を果たしており、電気接続部６０は、バッテリーの＋極の役割を果たしている。
【００２３】
第１及び第２の回路基板３１，３３の表面３１ａ，３３ａには、それぞれ発光部７１，７３及び受光部７５，７７が設けられており、光信号により２つの回路基板３１，３３間の情報伝達を行う光通信手段７０を構成している。これら発光部７１，７３及び受光部７５，７７は、基準軸線Ｌ１回りの円環状に形成され、前述した電気接続部６０の周囲に配されている。
第１の筐体２側に設けられた発光部７１及び受光部７５は、第１の回路基板３１を介して第１及び第２の操作部７，１７、マイクロフォン部９やバッテリーと電気的に接続されている。
第２の筐体３側に設けられた発光部７３及び受光部７７は、第２の回路基板３３を介して表示部２１、スピーカー部２３や電気音響変換部２５と電気的に接続されている。
【００２４】
第１の回路基板３１の発光部７１は、第１の回路基板３１の受光部７５の内周側に配され、第２の回路基板３３の発光部７３は、第２の回路基板３３の受光部７７の外周側に配されている。さらに、第１の回路基板３１の発光部７１が貫通孔４１ａを介して第２の回路基板３３の受光部７７に対向すると共に、第２の回路基板３３の発光部７３が貫通孔４１ａを介して第１の回路基板３１の受光部７５に対向するようにそれぞれ配されている。
これら２つの発光部７１，７３は、相互に異なる波長の光を発するように構成されている。また、第１の回路基板３１の受光部７５は、第２の回路基板３３の発光部７３からの光だけを検出し、第２の回路基板３３の受光部７７は、第１の回路基板３１の発光部７１からの光だけを検出するように構成されている。具体的には、２つの受光部７５，７７に相互に異なる種類のフィルターを設け、各受光部７５，７７がそれぞれ特定の波長の光のみを検出させるように２つの受光部７５，７７を構成する。以上のように、発光部７１，７３及び受光部７５，７７を構成することにより、２つの発光部７１，７３からの光信号が相互に干渉することを防止できる。
【００２５】
以上のように構成された光通信手段７０によって第１の回路基板３１から第２の回路基板３３に伝達される光信号としては、表示部２１に表示させる画像信号、スピーカー部２３や電気音響変換部２５から出力させる音声信号がある。
また、第２の回路基板３３から第１の回路基板３１に伝達される光信号としては、電気音響変換部２５に入力された音声信号がある。
【００２６】
以上のように構成された携帯電話機１の作用について説明する。
この携帯電話機１を鞄や衣服のポケットに収容して携行する場合には、図３に示すように、２つの筐体２，３を互いに重ね合わせて閉じた状態とする。この状態において、例えば、通話の着信があった場合には、第２の操作部１７を操作して着信を受けることにより通話を開始し、受話器として機能するスピーカー部２３及び送話器として機能する電気音響変換部２５により通話を行う。この通話の際には、携帯電話機１が受信した音声信号に応じて、第１の回路基板３１に設けられた発光部７１から第２の回路基板３３に設けられた受光部７７に光信号が伝達され、第２の回路基板３３を介してスピーカー部２３から音声が出力される。
また、例えば、着信したメールやインターネットを閲覧する場合には、第２の操作部１７を操作して表示部２１に表示される各種情報を視認する。この閲覧の際も、第２の操作部１７の入力信号に応じて、第１の回路基板３１から第２の回路基板３３に光信号が伝達され、表示部２１に各種情報が表示される。
【００２７】
また、例えば、メール等の文章を作成したり、電話番号を入力する場合には、第１の操作部７を操作するため、図１に示すように、第２の筐体３を第１の筐体２に対して基準軸線Ｌ１を中心に１８０°回動させ、第１の操作部７を外方に露出させるように２つの筐体２，３を相互に開く。
この際には、第２の筐体３、第２の回路基板３３及び円形プレート４９が、第１の筐体２に固定された第１の回路基板１３、軸４１及び電気接続部６０に対して基準軸線Ｌ１を中心に回転する。また、円形プレート４９が皿ばね５３に対して摺動する。
なお、この状態においても、電気接続部６０の先端はコイルばね６５により第２の回路基板３３に接触した状態に保持される。
【００２８】
そして、２つの筐体２，３を相互に開いた状態において、例えば、第１の操作部７のテンキー等を押圧して文字や記号を入力した場合には、この入力信号に応じて、第１の回路基板３１から第２の回路基板３３に光信号が伝達され、表示部２１に文字や記号が表示されることになる。
また、例えば、通話を行う場合には、受信した音声信号を発光部７１から受光部７７に光信号により伝達し、第２の回路基板３３を介して受話器として機能する電気音響変換部２５から音声を出力する。
【００２９】
上記のように、この携帯電話機１によれば、各筐体２，３に設けられた回路基板３１，３３間の情報伝達が光通信手段７０により行われるため、２つの筐体２，３を相互に回動させても２つの回路基板３１，３３の間で各種制御信号の伝達を確実に行うことが可能な携帯電話機１を提供することができる。
また、従来のように、２つの回路基板３１，３３間に信号を伝達する多数のケーブルが不要となるため、軸４１の貫通孔４１ａを小さく形成して軸４１の小型化を図り、携帯電話機１の小型化を図ることができる。
【００３０】
さらに、各回路基板３１，３３にそれぞれ配された受光部７５，７７は、各受光部７５，７７に対向配置された発光部７１，７３からの光信号のみをそれぞれ受信するため、光信号による情報伝達を確実に行うことができる。
また、基準軸線Ｌ１を中心として２つの筐体２，３を相互に回動させても、２つの回路基板３１，３３が、軸４１及び電気接続部６０により相互に電気的に接続された状態に保持されるため、従来のように、ケーブルの捻れ等の不具合も発生しない。このため、第１の筐体２から第２の筐体３に確実に電力を供給できると共に、基準軸線Ｌ１を中心として２つの筐体２，３を相互に３６０°以上回転させることが可能となる。したがって、携帯電話機１の取り扱いが容易となる。
さらに、コイルばね６５によって、電気接続部６０の第２の接続部材６３が第２の回路基板３３に押し付けられるため、２つの回路基板３１，３３の電気的な接続を確実に保持することができる。
【００３１】
なお、上記の実施形態においては、各回路基板３１，３３には円環状の発光部７１，７３及び受光部７５，７７が設けられるとしたが、これに限ることはなく、例えば、各回路基板３１，３３の表面３１ａ，３３ａに発光部及び受光部を基準軸線Ｌ１回りに交互に配するとしても構わない。
また、各回路基板３１，３３に発光部７１，７３及び受光部７５，７７を１つずつ設けるとしたが、これに限ることはなく、複数の発光部及び受光部を設けるとしても構わない。この構成の場合には、２つの回路基板３１，３３間に伝達させる光信号の数を増やすことができるが、各受光部が検出する光の波長帯域の区分を細分化する必要がある。
【００３２】
さらに、第１及び第２の回路基板３１，３３間に伝達される光信号の種類は、上記実施形態のものに限ることはなく、携帯電話機１に搭載される電子部品に応じて変えることができる。すなわち、例えば、第２の筐体３に撮影用のカメラを設けた場合には、カメラにおいて撮影した画像信号が、光信号によって第２の回路基板３３から第１の回路基板３１に伝達されることになる。また、例えば、第２の筐体３に別途操作部を設けた場合には、この操作部の入力信号が、光信号によって第２の回路基板３３から第１の回路基板３１に伝達されることになる。
【００３３】
また、２つの筐体２，３を相互に閉じた状態においては、電気音響変換部２５をマイクロフォンとして機能させるとしたが、これに限ることはなく、少なくとも２つの筐体２，３を相互に閉じた状態においても通話可能な構成があればよい。
すなわち、２つの筐体２，３を相互に閉じた状態においては、突起部１１によって第１の筐体２の先端部２ｃと第２の筐体３の先端部３ｃとの間に隙間が形成されている。このため、この状態においては、第１の筐体２の先端部２ｃに設けられたマイクロフォン部９と第２の筐体３の基端部３ｂに設けられたスピーカー部２３とにより通話を行うとしても構わない。
【００３４】
また、軸４１は、第１の筐体２に固定されるとしたが、これに限ることはなく、少なくとも基準軸線Ｌ１を中心として２つの筐体２を相互に回動可能に連結すると共に、２つの回路基板３１，３３を相互に電気的に接続するように構成されていればよい。すなわち、例えば、軸４１を第２の筐体３に固定して、第２の筐体３と共に第１の筐体２に対して基準軸線Ｌ１を中心に回転させるように構成しても構わない。
【００３５】
また、携帯電話機１に限ることはなく、例えば、ＰＤＡやノートパソコンのように、２つの筐体を連結手段により互いに回動可能、かつ開閉自在に連結した携帯端末装置であればよい。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３６】
【図１】この発明の一実施形態に係る携帯電話機を構成する第１及び第２の筐体を相互に開いた状態を示しており、（ａ）は、概略平面図であり、（ｂ）は、概略側面図である。
【図２】図１の携帯電話機において、第１の筐体の側面に設けられた第２の操作部を示す拡大斜視図である。
【図３】図１の携帯電話機において、第１及び第２の筐体を相互に閉じた状態を示しており、（ａ）は、概略平面図であり、（ｂ）は、概略側面図である。
【図４】図１の携帯電話機において、連結手段の周辺を示す概略断面図である。
【図５】図１の携帯電話機において、電気接続部の先端部を示す拡大断面図である。
【符号の説明】
【００３７】
１  携帯電話機（携帯端末装置）
２  第１の筐体
３  第２の筐体
５  連結手段
３１  第１の回路基板
３３  第２の回路基板
４１  軸
４１ａ  貫通孔
４１ｂ  一端部
４１ｃ  他端部
６０  電気接続部
６１  第１の接続部材
６３  第２の接続部材
６５  コイルばね（付勢部材）
７０  光通信手段
７１，７３  発光部
７５，７７  受光部
Ｌ１  基準軸線
【図１】
2005064843.tif 000003
【図２】
2005064843.tif 000004
【図３】
2005064843.tif 000005
【図４】
2005064843.tif 000006
【図５】
2005064843.tif 000007